(57)【要約】【課題】全体構造が簡単であるにもかかわらずドアに対して確実に装着固定でき、とくにフラッシュドア構造のドアに好適な明かり窓を提供する。【解決手段】ドア１の窓開口４の一方および他方から嵌め込み装着される第１・第２の窓要素５Ａ・５Ｂで構成する。両窓要素５Ａ・５Ｂは、筒壁８、フランジ９、窓板１０を備えた透明のプラスチック成形品からなる。筒壁８は、筒基部１１と嵌合筒壁１２とで構成し、筒基部１１の周囲複数箇所に係合爪１３を膨出形成する。第２窓要素５Ｂの嵌合筒壁１２の外面に、両嵌合筒壁１２・１２のがた付きを規制する規制リブ１４を突設する。以て、両窓要素５Ａ・５Ｂを窓開口４に対向装着した状態において、フランジ９と係合爪１３とがドア１の表装板１ａを内外に挟持して、各窓要素５Ａ・５Ｂをドア１に個別に固定する。内外に重なる嵌合筒壁１２・１２どうしを接着剤で分離不能に接着固定する。【選択図】図１
0003140138.tif 000002
【実用新案登録請求の範囲】
【請求項１】
ドア（１）に貫通形成した窓開口（４）の一方および他方から嵌め込み装着される第１・第２の窓要素（５Ａ・５Ｂ）で構成されており、
両窓要素（５Ａ・５Ｂ）は、窓開口（４）に差し込み装着される筒壁（８）と、筒壁（８）の外面周縁に張り出されて窓開口（４）の周縁壁を覆うフランジ（９）と、筒壁（８）と一体に形成される窓板（１０）とを備えた透明ないし半透明のプラスチック成形品からなり、
前記筒壁（８）は、フランジ（９）に隣接する筒基部（１１）と、筒基部（１１）に連続する嵌合筒壁（１２）と、筒基部（１１）の周囲複数箇所に膨出形成される係合爪（１３）とを備えており、
第１窓要素（５Ａ）の嵌合筒壁（１２）の内面と、第２窓要素（５Ｂ）の嵌合筒壁（１２）の外面との少なくともいずれか一方に、内外に重なる両嵌合筒壁（１２・１２）のがた付きを規制する複数個の規制リブ（１４）が突設されており、
第１・第２の両窓要素（５Ａ・５Ｂ）を窓開口（４）に対向装着した状態において、フランジ（９）と係合爪（１３）とがドア（１）の表装板（１ａ）を内外に挟持して各窓要素（５Ａ・５Ｂ）がドア（１）に個別に固定されており、同時に内外に重なる嵌合筒壁（１２・１２）の嵌合部分を接着固定して両窓要素（５Ａ・５Ｂ）が分離不能に一体化してあるドアの明かり窓。
【請求項２】
第１・第２の両窓要素（５Ａ・５Ｂ）が、光拡散剤を含むプラスチック材で成形されて、窓板（１０）の内面、および筒壁（８）の外面が微小凹凸面で形成してある請求項１記載のドア用の明かり窓。
【請求項３】
フランジ（９）と窓板（１０）とが、筒壁（８）の外端にフランジ（９）および窓板（１０）の外面が面一になる状態で鏡面状に形成されており、
窓板（１０）の厚みがフランジ（９）の厚みより大きく設定してある請求項１または２記載のドア用の明かり窓。
【請求項４】
フランジ（９）、および嵌合筒壁（１２）の断面が、それぞれ四角形に形成されており、
筒基部（１１）の各辺部の中央に、辺部に沿って長いリブ状の係合爪（１３）が形成されており、
第１・第２の両窓要素（５Ａ・５Ｂ）を窓開口（４）に対向装着した状態において、内側に位置する嵌合筒壁（１２）の外面四隅のそれぞれに、３個の規制リブ（１４）が二等辺三角形の各頂部を占める状態で形成してある請求項１から３のいずれかに記載のドア用の明かり窓。
【考案の詳細な説明】
【技術分野】
【０００１】
本考案は、間仕切りドアやクローゼットのドアなどの室内ドアに適用されるドア用の明かり窓に関する。
【背景技術】
【０００２】
この種の従来の明かり窓は、ドアに貫通形成した窓開口の一方および他方からそれぞれ嵌め込み装着される第１・第２のケーシングと、両ケーシングのいずれか一方に装着される窓板などで構成してある。特許文献１の明かり窓においては、第１・第２の両ケーシングをプラスチック成形品で構成し、さらに窓板をアクリル樹脂で形成している。両ケーシングとも、先の窓開口に嵌め込まれる筒壁と、筒壁の外縁に張り出されるフランジ壁とを一体に備えており、フランジ壁の上下２個所に、互いに嵌係合する係合突起とボスとを備えている。
【０００３】
上記の明かり窓によれば、第１ケーシングを窓開口の片側に差し込み装着し、さらに窓板が組み付けられた第２ケーシングを窓開口の他側に差し込み装着して、係合突起とボスを圧嵌係合することで明かり窓をドアに対して簡便に組み込むことができる。組み付け状態における各ケーシングの筒壁は、内外に重なるのでドアの厚みの違いにもある程度は対応できるが、筒壁の重なり寸法が十分ではないため対応できる範囲は小さい。
【０００４】
特許文献２の明かり窓においては、一方の筒壁の外面に雄ねじを形成し、他方の筒壁の内面に雌ねじを形成して、両ケーシングをねじで締結することによりドアに固定している。さらに、本出願人の提案に係る特許文献３の明かり窓においては、筒壁に換わる複数個の弾性係合爪をフランジの内面に一体形成し、各弾性係合爪がドアの窓開口の内面に圧接することにより、両ケーシングをドアに固定している。また、特許文献３の明かり窓においては、窓板をフランジと一体に形成して、明かり窓の構成部品点数を最小限化できるようにしている。
【０００５】
【特許文献１】登録実用新案第３０３７６１９号公報（段落番号００２４、図２参照）
【特許文献２】実公平５−２４７９２号公報（第２頁左欄１〜８行、第１図参照）
【特許文献２】特開２００４−３６０２４４号公報（段落番号００１９、図３参照）
【考案の開示】
【考案が解決しようとする課題】
【０００６】
特許文献１の明かり窓においては、ケーシングの上下に設けた係合突起とボスとが互いに嵌係合することで、窓開口を挟んで対向する両ケーシングの装着状態を維持している。そのため、窓開口の開口寸法（縦横寸法）が許容範囲を越えてばらつくとき、明かり窓を適正に固定できない。例えば、窓開口の上下寸法が標準寸法より大きいと、明かり窓の全体が上下にがた付く。逆に窓開口の上下寸法が標準寸法より小さいと、フランジの上下中途部が窓開口の周縁壁から浮き離れてしまう。また、係合突起とボスとの嵌係合が不十分であると、明かり窓がドアの厚み方向にがた付く。
【０００７】
その点、特許文献２の明かり窓においては、両ケーシングの筒壁どうしをねじで直接連結するので、対向するケーシングをより強固に固定できる。また、フランジ壁に設けた突起を窓開口の周縁壁に喰い込ませるので、明かり窓ががた付くこともない。しかし、ねじを連結要素とするのでフランジ形状が円形に限られ、デザインの自由度が低い点に問題がある。例えばフランジを四角形とした場合には、筒壁どうしをねじで連結した状態において、フランジの四辺部がドアの辺部に対して斜めに傾ぐことがある。先の明かり窓も同じであるが、一対のケーシングと、窓板との３部品で明かり窓を構成するので全体コストが嵩む不利もある。
【０００８】
特許文献３の明かり窓は、窓板をフランジと一体に形成するので、明かり窓の構成部品点数を最小限化し、その分だけコストを削減できる。しかし、弾性係合爪が窓開口の内面に圧接するときの摩擦抵抗で装着状態を維持するので、フラッシュドアなどの中空構造のドアにおいて、弾性係合爪を窓開口の内面に圧接できないことがある。因みに、室内ドアは防犯性や耐候性などを考慮する必要がないため、その殆どが軽量なフラッシュドアで占められている。
【０００９】
本考案の目的は、全体構造が簡単であるにもかかわらずドアに対して確実に装着固定でき、しかも、必要に応じて外観形状を任意形状に設定できるドア用の明かり窓を提供することにある。本考案の目的は、とくにフラッシュドアに適用するのに好適なドア用の明かり窓を提供することにある。
【課題を解決するための手段】
【００１０】
本考案の窓用の明かり窓は、ドア１に貫通形成した窓開口４の一方および他方から嵌め込み装着される第１・第２の窓要素５Ａ・５Ｂで構成する。両窓要素５Ａ・５Ｂは、窓開口４に差し込み装着される筒壁８と、筒壁８の外面周縁に張り出されて窓開口４の周縁壁を覆うフランジ９と、筒壁８と一体に形成される窓板１０とを備えた透明ないし半透明のプラスチック成形品からなる。前記筒壁８は、フランジ９に隣接する筒基部１１と、筒基部１１に連続する嵌合筒壁１２と、筒基部１１の周囲複数箇所に膨出形成される係合爪１３とを備えている。第１窓要素５Ａの嵌合筒壁１２の内面と、第２窓要素５Ｂの嵌合筒壁１２の外面との少なくともいずれか一方に、内外に重なる両嵌合筒壁１２・１２のがた付きを規制する複数個の規制リブ１４を突設する。以て、図１に示すように、第１・第２の両窓要素５Ａ・５Ｂを窓開口４に対向装着した状態において、フランジ９と係合爪１３とがドア１の表装板１ａを内外に挟持して各窓要素５Ａ・５Ｂをドア１に個別に固定する。同時に内外に重なる嵌合筒壁１２・１２の嵌合部分を接着固定して、両窓要素５Ａ・５Ｂを分離不能に一体化する。
【００１１】
第１・第２の両窓要素５Ａ・５Ｂは、光拡散剤を含むプラスチック材で成形し、窓板１０の内面、および筒壁８の外面を微小凹凸面で形成する。
【００１２】
フランジ９と窓板１０とは、筒壁８の外端にフランジ９および窓板１０の外面が面一になる状態で鏡面状に形成する。窓板１０の厚みはフランジ９の厚みより大きく設定する。
【００１３】
フランジ９、および嵌合筒壁１２の断面を、それぞれ四角形に形成する。筒基部１１の各辺部の中央に、辺部に沿って長いリブ状の係合爪１３を形成する。第１・第２の両窓要素５Ａ・５Ｂを窓開口４に対向装着した状態において、内側に位置する嵌合筒壁１２の外面四隅のそれぞれに、３個の規制リブ１４が二等辺三角形の各頂部を占める状態で形成する。
【考案の効果】
【００１４】
本考案では、第１・第２の窓要素５Ａ・５Ｂで明かり窓を構成し、両窓要素５Ａ・５Ｂのそれぞれを、筒壁８、フランジ９、窓板１０を一体に備えた透明のプラスチック成形品で構成した。また、筒基部１１と嵌合筒壁１２とで筒壁８を構成し、筒基部１１の周囲複数箇所に係合爪１３を膨出形成することにより、両窓要素５Ａ・５Ｂを窓開口４に装着した状態において、フランジ９と係合爪１３とがドア１の表装板１ａを内外に挟持して各窓要素５Ａ・５Ｂをドア１に個別に固定できるようにした。さらに、嵌合状態において嵌合筒壁１２・１２ががた付くのを規制リブ１４で防止したうえで、嵌合筒壁１２・１２の嵌合部分を分離不能に接着固定した。
【００１５】
以上のように構成した本考案の明かり窓によれば、構成部品点数を最小限化して明かり窓の構造を簡素化できるうえ、第１・第２の両窓要素５Ａ・５Ｂをドア１に対して強固に、しかも分離不能に接着固定でき、従来のこの種の明かり窓に比べて低コストでありながら耐久性に優れた明かり窓、なかでもフラッシュドアに好適なドア用の明かり窓が得られる。必要に応じて外観形状を任意形状に設定できる利点もある。さらに、両窓要素５Ａ・５Ｂの嵌合筒壁１２どうしを分離不能に接着固定するので、窓開口４の開口寸法にばらつきがある場合にも、明かり窓の全体が上下にがた付いたり、あるいはフランジ９の上下中途部が窓開口４の周縁壁から浮き離れるのを防止できる。
【００１６】
両窓要素５Ａ・５Ｂを光拡散剤を含むプラスチック材で成形し、さらに窓板１０の内面、および筒壁８の外面を微小凹凸面で形成するので、ドア１で区分された隣室の照明器具が点灯状態にあるか否かを明確に確認しながら、明かり窓を介して隣室の状況が視認されるのを規制できる。ドア１の内部構造が窓板１０を介して視認されることも同時に阻止できるので、明かり窓を付加することでドア１の外観状の印象が損なわれることもない。
【００１７】
フランジ９と窓板１０との外面を面一に、しかも鏡面状に形成すると、ドア１の表面に露出するフランジ９と窓板１０の一体感を強調し、明かり窓の外観をシンプルな印象とすることができる。さらに、外面を鏡面化することで、フランジ９と窓板１０の反射光輝性を強調し、明かり窓があたかも板ガラスで形成してあるような印象を与えることができる。窓板１０の厚みをフランジ９の厚みより大きく設定するのは、フランジ９に比べて面積が大きな窓板１０の構造強度を十分なものとして、変形や破損を防ぎ安全性を向上するためである。
【００１８】
フランジ９および筒壁１２の断面が四角形に形成してある明かり窓において、内側に位置する嵌合筒壁１２の外面四隅のそれぞれに、３個の規制リブ１４をそれぞれが二等辺三角形の各頂部を占める状態で形成すると、内外に重なる嵌合筒壁１２・１２を対角線の方向に沿って突っ張りあう状態で固定できる。つまり、嵌合筒壁１２・１２の構成壁のうち、変形しにくい四隅部分において内外の嵌合筒壁１２・１２を規制リブ１４を介して嵌合するので、両嵌合筒壁１２・１２のがた付きを確実に規制しながら位置決めできる。
【考案を実施するための最良の形態】
【００１９】
（実施例）  図１ないし図４は本考案に係るドア用の明かり窓の実施例を示す。図２において、符号１はドア、符号２はドア１を揺動開閉自在に支持するヒンジ、符号３は図示していないドアラッチを解錠操作するドアノブである。ドア１は、周囲枠と、周囲枠の内部に格子状に配置される心材と、周囲枠および心材の表裏に固定される表装板１ａ（図１参照）などでフラッシュドア状に構成してある。ドア１の左右中央には、明かり窓を装着するための５個の窓開口４が、上下方向へ一定間隔おきに直線列状に形成してある。各窓開口４は、四角形の明かり窓より一回り小さな四角形の開口からなり、ドア１を厚み方向へ貫通する状態で形成してある。
【００２０】
明かり窓は、図３に示すように、先の窓開口４の一方および他方から嵌め込み装着される第１・第２の窓要素５Ａ・５Ｂで構成する。両窓要素５Ａ・５Ｂは、窓開口４に差し込み装着される四角筒状の筒壁８と、筒壁８の外面周縁に張り出されて窓開口４の周縁壁を覆う四角形状のフランジ９と、筒壁８と一体に形成される窓板１０とを備えた透明の射出成形品からなる。両窓要素５Ａ・５Ｂを形成するプラスチック材には、光の透過を妨げない範囲内で着色材を混入して、淡い色調に仕上げることができる。
【００２１】
フランジ９と窓板１０は、両者の外面が面一になる状態で鏡面状に形成する。これは、ドア１の表面に露出するフランジ９と窓板１０の一体感を強調し、明かり窓の外観をシンプルな印象とし、しかも両者の外面を鏡面化することであたかも板ガラス状に見えることを意図したものである。窓板１０の厚み（２ｍｍ）は、フランジ９の厚み（１．２ｍｍ）より分厚く形成してあり、後述するように窓板１０に連続する筒基部１１が厚肉に形成してあることもあって、窓板１０と筒基部１１とが協同して十分な構造強度を発揮できる。したがって、窓板１０の中央部分に誤って他物が衝突するような場合でも、窓板１０が内凹み状に変形しあるいは破損することはなく安全性を向上できる。
【００２２】
上記の筒壁８は、フランジ９に隣接する厚肉（２．５ｍｍ）の筒基部１１と、筒基部１１に連続して筒基部１１より薄肉（１ｍｍ）に形成される嵌合筒壁１２と、筒基部１１の周面の各辺部の中央に膨出形成されるリブ状の係合爪１３とを備えている。第１窓要素５Ａにおける筒基部１１と嵌合筒壁１２とは、それぞれの外周面が面一になる状態で形成するが、第２窓要素５Ｂにおける筒基部１１と嵌合筒壁１２とは、それぞれの内周面が面一になる状態で形成する。したがって、第２窓要素５Ｂにおいては、筒基部１１と嵌合筒壁１２との間に段部が形成される。
【００２３】
図１に示すように、両窓要素５Ａ・５Ｂを窓開口４に装着した状態では、第２窓要素５Ｂの嵌合筒壁１２が第１窓要素５Ａの嵌合筒壁１２の内部に入り込んで、両嵌合筒壁１２・１２が内外に重なる。この嵌合状態における両嵌合筒壁１２・１２のがた付きを規制するために、第２窓要素５Ｂの嵌合筒壁１２の外面に複数個の規制リブ１４が突設してある。規制リブ１４は、嵌合筒壁１２の前後幅の全長にわたって形成してあり、図４に示すように、嵌合状態における規制リブ１４の突端縁は、第１窓要素５Ａの嵌合筒壁１２の内面に隙間のない状態で密着接当する。
【００２４】
嵌合状態における両嵌合筒壁１２・１２のがた付きを均等に、しかも確実に規制するために、３個を１組とする規制リブ１４を嵌合筒壁１２の各隅部に集約して配置している。詳しくは、１個の規制リブ１４を丸められた隅部中央に配置し、残る２個の規制リブ１４を隅部の近傍の辺部に配置している。これにより、各隅部においては３個の規制リブ１４が二等辺三角形の各頂部を占める状態で配置される。後述するように、施工時には内外に重なる両嵌合筒壁１２・１２を接着固定するが、各規制リブ１４は接着剤を第２窓要素５Ｂの嵌合筒壁１２の表面に溜めるためのスペーサーとしても機能する。因みに、規制リブ１４の規制リブ１４からの突出寸法は０．２ｍｍであり、両嵌合筒壁１２・１２の間に接着剤を過不足のない状態で介在させることができる。
【００２５】
明かり窓は、ドア１で仕切られた隣の部屋が照明されているか否かを確認できればよく、その限りでは両窓要素５Ａ・５Ｂを通して隣の部屋の様子を明確に視認できるものである必要はない。そこで、両窓要素５Ａ・５Ｂは光拡散剤を含む透明のプラスチック材で形成して、各窓要素５Ａ・５Ｂを通過する光の一部を拡散できるようにしている。さらに、窓板１０の内面、および嵌合筒壁１２の外面のそれぞれを微小凹凸面（シボ面）で形成して、磨りガラス状の視覚効果を発揮できるようにしている。このように、微小凹凸面を形成することにより、ドア１で区分された隣室の照明器具が点灯状態にあるか否かを確認できるうえ、ドア１の内部構造が窓板１０を介して視認されるのを阻止できる。
【００２６】
以上のように構成した明かり窓は、第２窓要素５Ｂの嵌合筒壁１２の外周面に接着剤を塗布したのち、筒壁８を窓開口４に差し込んで４個の係合爪１３を表装板１ａに圧嵌係合する。これにより、フランジ９と係合爪１３とが表装板１ａを内外に挟持して第２窓要素５Ｂを独立して窓開口４に固定できる。同様にして、窓開口４の逆側から第１窓要素５Ａの筒壁８を窓開口４に差し込み、その嵌合筒壁１２が第２窓要素５Ｂの嵌合筒壁１２の外面に嵌合する状態で、４個の係合爪１３を表装板１ａに圧嵌係合することにより、フランジ９と係合爪１３とが表装板１ａを内外に挟持して第１窓要素５Ａを独立して窓開口４に固定できる。内外の嵌合筒壁１２・１２どうしは、規制リブ１４によってがた付く余地のない状態で嵌合しており、さらに両筒壁１２・１２を結着する接着剤によって分離不能に一体化される。
【００２７】
したがって、本考案の明かり窓によれば、フランジ９と係合爪１３とで表装板１ａを挟持して、第１・第２の両窓要素５Ａ・５Ｂを個別的にドア１に固定するので、全体構造が簡単であるにもかかわらず、両窓要素５Ａ・５Ｂをドア１に対して確実に装着固定でき、とくにフラッシュドアに適用するのに好適なドア用の明かり窓を提供できる。また、内外の嵌合筒壁１２・１２どうしを嵌合し、さらに規制リブ１４によってがた付きを規制したうえで、両筒壁１２・１２を接着剤で分離不能に一体化するので、両窓要素５Ａ・５Ｂをドア１に対してさらに強固に固定でき、長期使用時にも両窓要素５Ａ・５Ｂがドア１から脱落するのを確実に防止できる。この実施例の明かり窓は、内外の嵌合筒壁１２・１２が内外に重なる範囲内でドア１の厚み変化に対応でき、具体的には厚み寸法が２８〜４０ｍｍのドア１に支障なく適用できる。
【００２８】
図５は、本考案に係る明かり窓の別実施例を示す。そこでは、フランジ９の外形、および筒壁８の断面形状をそれぞれ円形に形成し、筒基部１１の周面に沿って、部分円弧状の４個の係合爪１３を等間隔おきに形成した。また、第２窓要素５Ｂの嵌合筒壁１２の外周面に８個の規制リブ１４を等間隔おきに形成した。このとき、１個の係合爪１３と、この係合爪１３を間に挟んで周方向へ２２．５度ずつ位相がずれた位置に設けられる２個の規制リブ１４とを１組とする爪−リブ構造を想定するとき、４組の爪−リブ構造が筒壁８の周方向に等間隔おきに形成されるようにして、第１・第２の窓要素５Ａ・５Ｂを適正に嵌合固定できるようにした。他は先の実施例と同じであるので、同じ部材に同じ符号を付してその説明を省略する。
【００２９】
上記以外に、規制リブ１４は第１窓要素５Ａの嵌合筒壁１２の内面に形成することができ、必要があれば両窓要素５Ａ・５Ｂの嵌合筒壁１２のそれぞれに設けることができる。嵌合筒壁１２・１２の筒壁のそれぞれを連続波形に形成して、嵌合筒壁１２・１２が規制リブ１４を兼ねるようにすることができる。フランジ９の外形、および筒壁８の断面形状は、四角形や円形である必要はなく、三角形、楕円、三日月形、星形、花形、文字および数字の外形形状など自由に設定できる。窓板１０はフランジ９と面一状に形成する必要はなく、窓板１０はフランジ９の表面より窓内方において筒壁８の内面と直交する状態で形成することができる。また、必要があれば、窓板１０を凸レンズや凹レンズ状の湾曲壁で形成することができる。
【図面の簡単な説明】
【００３０】
【図１】図２に置けるＡ−Ａ線断面図である。
【図２】ドアの正面図である。
【図３】明かり窓の分解斜視図である。
【図４】明かり窓をドアに装着した状態の一部破断正面図である。
【図５】明かり窓の別実施例を示す一部破断正面図である。
【符号の説明】
【００３１】
１  ドア
１ａ  表装板
４  窓開口
５Ａ  第１窓要素
５Ｂ  第２窓要素
８  筒壁
９  フランジ
１０  窓板
１１  筒基部１
１２  嵌合筒壁
１３  係合爪
１４  規制リブ
【図１】
0003140138.tif 000003
【図２】
0003140138.tif 000004
【図３】
0003140138.tif 000005
【図４】
0003140138.tif 000006
【図５】
0003140138.tif 000007